(57)【特許請求の範囲】
【請求項１】
作業者の背中に沿う背板部を少なくとも有し、該背板部をショルダーストラップによって作業者の背中に背負うようにした背負フレームと、
前記背板部の後側にて前記背負フレームに搭載されたボリュートケースと、
前記ボリュートケース内に回転可能に支持した遠心ファンと、
前記ボリュートケースに組み付けられて前記遠心ファンを回転させる電動モータと、
取付部にスライド移動可能であって着脱可能に取り付けられ、前記電動モータに給電するバッテリパックを備え、
前後方向に沿って前記ボリュートケースと前記取付部を見ると、
前記ボリュートケースは、渦巻き形状に形成されると共に、その側方に前記渦巻き形状から外側に延出する送風筒部が形成されており、
前記バッテリパックは、前記ボリュートケースが配置されていない位置において、当該バッテリパックを前記背板部に向かう前方向にスライド移動させることで前記取付部に取付けられる、若しくは、
前記バッテリパックは、前記ボリュートケースの２つの側方のうち前記送風筒部が形成されていない側から前記送風筒部が形成されている側にスライド移動させることで前記取付部に取付けられる、背負式送風作業機。
【請求項２】
請求項１に記載の背負式送風作業機において、
前記背負式送風作業機を前記背板部が起立した状態で水平な載置面に載置したときに、前記バッテリパックを前記取付部に取り付けた状態と前記取付部から取り外した状態の両方で、前記背負式送風作業機は前記背板部が起立した状態で自立するようにしたことを特徴とする背負式送風作業機。
【請求項３】
請求項１又は２に記載の背負式送風作業機において、
前記送風筒部は、前記ボリュートケースの左右方向の一方の側に設けられ、その先端に送風管が連通接続可能となっており、
前記ボリュートケースの左右方向の他方の側に前記取付部を配設したことを特徴とする背負式送風作業機。
【請求項４】
請求項１〜３の何れか１項に記載の背負式送風作業機において、
前記背負フレームの左右方向の中心線から左右方向の各々の１０％の領域に前記背負式送風作業機の重心が配置されたことを特徴とする背負式送風作業機。
【請求項５】
請求項１〜４の何れか１項に記載の背負式送風作業機において、
前記バッテリパックは、他の電動式園芸作業機又は電動工具の電源として用いることが可能となっていることを特徴とする背負式送風作業機。
【請求項６】
請求項１〜５の何れか１項に記載の背負式送風作業機において、
前記背負フレームには前記ボリュートケースと前記遠心ファンと前記電動モータを覆うカバーを設け、前記取付部を前記カバーの外側に配設して前記バッテリパックを前記カバーの外側で着脱可能としたことを特徴とする背負式送風作業機。
【請求項７】
請求項１〜６の何れか１項に記載の背負式送風作業機において、
前記取付部を前記背負フレームの背板部に配設したことを特徴とする背負式送風作業機。
【請求項８】
請求項１〜７の何れか１項に記載の背負式送風作業機において、
前記背負フレームは前記背板部の下端部に後側に延出する台座部を備え、
前記取付部を前記台座部に設けたことを特徴とする背負式送風作業機。
【発明の詳細な説明】
【技術分野】
【０００１】
本発明は、落葉等の清掃作業に用いる背負式送風作業機に関し、特に、作業者がボリュートケース、遠心ファン及び電動モータを搭載した背負フレームを背負って清掃作業をする背負式送風作業機に関する。
【背景技術】
【０００２】
特許文献１には背負式送風作業機の一実施形態である背負式ブロワが開示されており、この背負式ブロワは作業者が背負うＬ字形をした背負フレームと、背負フレームに搭載したボリュートケースと、ボリュートケース内に回転可能に設けた遠心ファンと、ボリュートの後側に組み付けられて遠心ファンを回転させる電動モータと、背負フレームの下面に取り付けたバッテリとを備えている。この背負式ブロワにおいては、ボリュートケース内の遠心ファンはバッテリの給電によって駆動する電動モータにより回転し、遠心ファンの回転よってボリュートケースの噴出口から空気が噴出するようになっている。
【先行技術文献】
【特許文献】
【０００３】
【特許文献１】米国特許第６００６４００号公報
【発明の概要】
【発明が解決しようとする課題】
【０００４】
特許文献１の背負式ブロワにおいては、電動モータに給電するバッテリは背負フレームの水平部の下面にブラケットによってねじで固定されており、バッテリを頻繁に取り外して充電することを想定したものでない。このため、バッテリを充電するには、背負式ブロワを電源の近くに運んで充電するか、充電するたびにブラケットを取り外さなければならなく、バッテリを充電することについて作業性が良くない問題があった。本発明は、背負式送風作業機において、電源として用いるバッテリパックを充電するときの作業性を向上させることを目的とする。
【課題を解決するための手段】
【０００５】
上記課題を解決するために、本発明は、作業者の背中に沿う背板部を少なくとも有し、背板部をショルダーストラップによって作業者の背中に背負うようにした背負フレームと、背板部の後側にて背負フレームに搭載されたボリュートケースと、ボリュートケース内に回転可能に支持した遠心ファンと、ボリュートケースに組み付けられて遠心ファンを回転させる電動モータと、背負フレームに設けた取付部に着脱可能に取り付けられ、電動モータに給電するバッテリパックを備えた背負式送風作業機を提供するものである。
【０００６】
上記のように構成した背負式送風作業機は、電動モータに給電するバッテリパックを背負フレームに設けた取付部に着脱可能に取り付けるようにしたので、バッテリパックを容易に取り外すことができ、バッテリパックを充電するときの作業性を向上させることができた。
【０００７】
上記のように構成した背負式送風作業機は、背負フレームにはボリュートケースと遠心ファンと電動モータを覆うカバーを設け、取付部をカバーの外側に配設してバッテリパックをカバーの外側で着脱可能とするのが好ましい。このようにしたときには、カバーを取り外すことなくバッテリパックを着脱することができ、カバーを取り外す手間をかけることなくバッテリパックを着脱することができた。
【０００８】
上記のように構成した背負式送風作業機は、背負式送風作業機を背板部が起立した状態で水平な載置面に載置したときに、バッテリパックを取付部に取り付けた状態と取付部から取り外した状態の両方で、背負式送風作業機は背板部が起立した状態で自立するのが好ましい。このようにしたときには、バッテリパックを装着前と装着後の両方で、背負式送風作業機を手で支えて起立させる必要がなくなり、バッテリパックを充電するための着脱操作の操作性を良くすることができた。
【０００９】
上記のように構成した背負式送風作業機は、取付部を背負フレームの背板部に配設してもよい。また、同様に、背負フレームは背板部の下端部に後側に延出する台座部を備え、取付部を台座部に設けてもよい。
【００１０】
上記のように構成した背負式送風作業機は、ボリュートケースは左右方向の一側に空気を送り出す送風筒部を備え、送風筒部に送風管を連通接続させ、背負フレームの左右方向の他側に取付部を配設するのが好ましく、このようにしたときには、左右方向の一側で送風管が配置され、他側でバッテリパックが配置されるので、背負式送風作業機を使用するときの左右の重量バランスを良好することができた。
【００１１】
上記のように構成した背負式送風作業機は、背負フレームの左右方向の中心線から左右方向の各々の１０％の領域に背負式送風作業機の重心が配置されるのが好ましく、このようにしたときには、背負フレームを背負う作業者の左右一方の肩に負担が大きくなるのを防ぐことができる。
【００１２】
上記のように構成した背負式送風作業機は、取付部及びバッテリパックの各々が複数よりなり、複数の取付部及び複数のバッテリを背負フレームの左右方向の中心から左右方向の両側に分けて配置するのが好ましく、背負式送風作業機の左右方向の重量バランスを良好とすることができた。
【図面の簡単な説明】
【００１３】
【図１】本発明の背負式送風作業機の第１実施形態の背負式ブロワの側面図である。
【図２】図１の左右方向の中心位置（原動機の回転軸の位置）の縦方向断面図である。
【図３】図１のカバーを取り外した状態の背面図である。
【図４】第２実施形態の背負式ブロワの側面図である。
【図５】図４の左右方向の中心位置（原動機の回転軸の位置）の縦方向断面図である。
【図６】図４のカバーを取り外した状態の背面図である。
【図７】第３実施形態の左側面図（ａ）であり、背面図（ｂ）である。
【図８】図７の原動機の回転軸の位置における縦方向断面図である。
【図９】第４実施形態の左側面図（ａ）であり、背面図（ｂ）である。
【図１０】図９の原動機の回転軸の位置における縦方向断面図である。
【図１１】第５実施形態の原動機の回転軸の位置における縦方向断面図である。
【発明を実施するための最良の形態】
【００１４】
以下、本発明の背負式送風作業機の一実施形態である背負式ブロワを添付図面を参照して説明する。
（第１実施形態）
図１〜図３に示したように、第１実施形態の背負式ブロワ１０は、作業者の背中に沿う背板部１２を少なくとも有して、作業者の背中に背負う背負フレーム１１と、背板部１２の後側にて背負フレーム１１に搭載されたボリュートケース２１と、ボリュートケース２１内に回転可能に支持した遠心ファン２２と、ボリュートケース２１に組み付けられて遠心ファンを回転させる電動モータ２３と、背負フレーム１１に設けた取付部１６に着脱可能に取り付けられて電動モータ２３に給電するバッテリパック４０とを備えている。以下に、この背負式ブロワ１０について詳述する。
【００１５】
図１〜図３に示したように、背負フレーム１１はボリュートケース２１と遠心ファン２２と電動モータ２３とを備えた送風ユニット２０を背負って運ぶためのものであり、併せて、送風ユニット２０の電動モータ２３に給電するバッテリパック４０と、電動モータ２３の駆動及びバッテリパック４０からの給電を制御する制御装置４１とを搭載するものある。背負フレーム１１は、作業者の背中に沿う背板部１２を有し、背板部１２を左右一対のショルダーストラップ１３によって作業者の背中に背負うようにしたものである。背負フレーム１１は作業者の背中に沿って略鉛直方向に起立する背板部１２の下端部から後側に延出する台座部１４をさらに備えている。背負フレーム１１の背板部１２には送風ユニット２０に空気を取り込むための多数の空気取込口１２ａが形成されており、台座部１４の前部にも送風ユニット２０に空気を取り込むための空気取込口１４ａが形成されている。
【００１６】
図１〜図３に示したように、送風ユニット２０は、電動モータ２３によってボリュートケース２１内の遠心ファン２２を回転させることで送風筒部２１ｂの先端の送風口２１ｃから送風するものである。ボリュートケース２１は背板部１２の平面方向と直交する方向を中心とした渦巻き形をしており、背板部１２に沿って略鉛直方向に起立して配置されている。ボリュートケース２１は後側に吸気口２１ａが形成されており、右側部に渦巻き形の外側先端部となる筒形をした送風筒部２１ｂが外側に延出して形成されており、送風筒部２１ｂの先端に送風口２１ｃが形成されている。ボリュートケース２１の送風筒部２１ｂの送風口２１ｃには送風管３０が連通接続されている。
【００１７】
ボリュートケース２１内には遠心ファン２２が回転可能に設けられており、ボリュートケース２１の前面には電動モータ２３が取り付けられている。遠心ファン２２はボリュートケース２１内にて電動モータ２３の回転軸（出力軸）２３ａに固定されている。電動モータ２３はこの実施形態ではアウターロータ型の電動モータを採用している。送風ユニット２０は、ボリュートケース２１の前面に電動モータ２３を一体的に組み付けるようにし、ボリュートケース２１内にて電動モータ２３の回転軸２３ａに遠心ファン２２を回転可能に取り付けるようにして１つのユニットとなっている。送風ユニット２０は１つのユニットとなった状態で台座部１４の上面に後述するバッテリパック４０及び制御装置４１を搭載する搭載空間を設けた状態で背板部１２にコイルスプリング１５によって弾性的に支持されている。
【００１８】
図１に示したように、ボリュートケース２１の送風口２１ｃに接続した送風管３０は、エルボ管３１と、エルボ管３１の先端部に接続された蛇腹状のフレキシブル管３２と、フレキシブル管３２の先端部に接続された真直管３３とを備えている。真直管３３には作業者が把持するグリップ３４が設けられており、作業者はグリップ３４を把持して送風管３０の先端開口を所望の方向に向くように操作することができる。
【００１９】
図３に示したように、背負フレーム１１の台座部１４の後部上面にはバッテリパック４０を取り付ける４つの取付部１６が左右方向に並んで配設されており、これら取付部１６には電動モータ２３に給電するバッテリパック４０が前後方向にスライド移動可能に着脱可能に取り付けられている。バッテリパック４０は取り外した状態で図示しない充電器により充電可能なものであり、他の電動式園芸作業機や電動工具の電源にも用いることが可能なものを用いている。
【００２０】
図２に示したように、背負フレーム１１の台座部１４の前部上面には制御装置４１が取り付けられており、制御装置４１は電動モータ２３の駆動を制御するとともに、バッテリパック４０から電動モータ２３の給電を制御している。図１及び図２に示したように、背負フレーム１１には送風ユニット２０と制御装置４１を覆うカバー４２が設けられている。この実施形態では、カバー４２は台座部１４の取付部１６及びこれに取付けたバッテリパック４０が外側となるように送風ユニット２０と制御装置４１を覆っている。カバー４２は送風ユニット２０と制御装置４１とをメンテナンスできるように背負フレーム１１に着脱可能となっている。
【００２１】
上記のように構成した背負式ブロワ１０の作動について説明する。作業者はショルダーストラップ１３を肩に掛けるようにして背負フレーム１１を背負って、電動モータ２３をバッテリパック４０からの給電によって駆動させると、遠心ファン２２がボリュートケース２１内で回転する。遠心ファン２２の回転によって、吸気口２１ａからボリュートケース２１内に吸い込まれた空気は送風口２１ｃから送風管３０送り出され、送風管３０に送出された空気は先端開口から地面に噴き出される。作業者が送風管３０のグリップ３４を把持して真直管３３の先端開口を作業者の前側で左右方向に回動させることで、作業者の前側の地面に広範囲に散る落葉等を吹き集めることができる。
【００２２】
上記のように構成した背負式ブロワ１０は、電動モータ２３に給電するバッテリパック４０を背負フレーム１１に設けた取付部１６に着脱可能に取り付けるようにしたので、バッテリパック４０を容易に取り外すことができ、バッテリパック４０を充電するときの作業性を向上させることができた。
【００２３】
また、背負フレーム１１にはボリュートケース２１と遠心ファン２２と電動モータ２３を覆うカバー４２を設け、取付部１６を背負フレーム１１のカバー４２の外側に配設してバッテリパック４０をカバー４２の外側で着脱可能とした。これにより、カバー４２を背負フレーム１１から取り外すことなくバッテリパック４０を取付部１６から着脱することができ、カバー４２を取り外す手間をかけることなくバッテリパック４０を着脱することができた。
【００２４】
また、背負フレーム１１は背板部１２の下端部に後側に延出する台座部１４を備えたため、台座部１４によって水平な載置面に背負式ブロワ１０を安定して載置しやすくなった。この実施形態では、台座部１４にバッテリパック４０の取付部１６を設けるようにしたため、バッテリパック４０によって重心位置を低くでき、背負式ブロワ１０を背板部１２が鉛直方向に起立した状態で水平な載置面に載置したときに、背負式ブロワ１０は背板部１２が起立した状態で自立できる。また、送風ユニット２０が背負フレーム１１の前後方向にて前側または後側に偏って配置されているわけでないので、背負式ブロワ１０を背板部１２が起立した状態で水平な載置面に載置したときに、取付部１６からバッテリパック４０を取り外しても、背負式ブロワ１０は背板部１２が起立した状態で自立できる。このように、この実施形態では、バッテリパック４０を取付部１６に取り付けた状態と取付部１６から取り外した状態の両方で、背負式ブロワ１０は背板部１２が起立した状態で自立するようにした。これにより、バッテリパック４０を装着前と装着後の両方で、背負式ブロワ１０を手で支えて起立させる必要がなくなり、バッテリパック４０を充電するための着脱操作の操作性を良くすることができた。
【００２５】
この実施形態では、背負フレーム１１の左右方向の中心線Ｃから左右方向の各々の１０％の領域Ｃｗ（中心線Ｃから左右の両側の各々に背負フレーム１１の左右方向の長さの１０％の領域）に背負式ブロワ１０の重心Ｇが配置されている。これにより、背負フレーム１１を背負う作業者の左右一方の肩に負担が大きくなるのを防ぐことができる。また、４つ（複数）の取付部１６及び４つ（複数）のバッテリパック４０を背負フレーム１１の左右方向の中心から左右方向の両側に分けて配置したので、背負式ブロワ１０の左右方向の重量バランスを良好とすることができた。
【００２６】
（第２実施形態）
次に、第２実施形態の背負式ブロワ１０を図４〜図６を用いて説明する。第２実施形態の背負式ブロワ１０は、送風ユニット２０を第１及び第２送風ユニット２０Ａ，２０Ｂの２つの送風ユニットによって構成するようにしたものである。第１送風ユニット２０Ａは背負フレーム１１の背板部１２の後側に配置され、第２送風ユニット２０Ｂは第１送風ユニット２０Ａの後側に配置されている。
【００２７】
図４〜図６に示したように、第１送風ユニット２０Ａは第１ボリュートケース２１Ａの後面に第１電動モータ２３Ａを一体的に組み付けるようにし、第１ボリュートケース２１Ａ内にて第１電動モータ２３Ａの回転軸（出力軸）２３Ａａに第１遠心ファン２２Ａの中心部を回転可能に取り付けるようにして１つのユニットとしたものである。第１ボリュートケース２１Ａは背板部１２の平面方向と直交（交差）する方向を中心とした渦巻き形をして、背板部１２の後側に鉛直方向に起立して配置されている。第１ボリュートケース２１Ａは前側に吸気口２１Ａａが形成されており、右側部に渦巻き形の外側先端部となる筒形をした送風筒部２１Ａｂが外側に延出して形成されており、送風筒部２１Ａｂの先端に送風口２１Ａｃが形成されている。
【００２８】
第２送風ユニット２０Ｂは第２ボリュートケース２１Ｂの後面に第２電動モータ２３Ｂを一体的に組み付けるようにし、第２ボリュートケース２１Ｂ内にて第２電動モータ２３Ｂの回転軸（出力軸）２３Ｂａに第２遠心ファン２２Ｂの中心部を回転可能に取り付けるようにして１つのユニットとしたものである。第２ボリュートケース２１Ｂは背板部１２の平面方向と直交（交差）する方向を中心とした渦巻き形をして、第１ボリュートケース２１Ａの後側に鉛直方向に起立して配置されている。第２ボリュートケース２１Ｂは後側に吸気口２１Ｂａが形成されており、右側部に渦巻き形の外側先端部となる筒形をした送風筒部２１Ｂｂが外側に延出して形成されており、送風筒部２１Ｂｂの先端に送風口２１Ｂｃが形成されている。第１及び第２ボリュートケース２１Ａ，２１Ｂの両送風口２１Ａｃ，２１Ｂｃにはこれらから送り出される空気が合流するように第１実施形態と同様の送風管３０が連通接続されている。
【００２９】
図４に示したように、第１送風ユニット２０Ａはボリュートケース２１Ａをコイルスプリング１５を介して背板部１２に固定することで背負フレーム１１に弾性的に支持されている。また、第２送風ユニット２０Ｂは第２電動モータ２３Ｂを第１電動モータ２３Ａに固定することで第１送風ユニット２０Ａを介して背負フレーム１１に弾性的に支持されている。この実施形態では第１及び第２電動モータ２３Ａ，２３Ｂの回転軸２３Ａａ，２３Ｂａは同軸的に配置されている。
【００３０】
図５及び図６に示したように、背負フレーム１１の台座部１４の後部上面にはバッテリパック４０を取り付ける４つの取付部１６が左右方向に並んで配設されており、これら取付部１６には電動モータ２３に給電するバッテリパック４０が前後方向にスライド移動可能に着脱可能に取り付けられている。バッテリパック４０は取り外した状態で図示しない充電器により充電可能なものであり、他の電動式園芸作業機や電動工具の電源にも用いることが可能なものを用いている。
【００３１】
図５に示したように、背負フレーム１１の台座部１４の前部上面には制御装置４１が取り付けられており、制御装置４１は電動モータ２３の駆動を制御するとともに、バッテリパック４０から電動モータ２３の給電を制御している。図４及び図５に示したように、背負フレーム１１には第１及び第２送風ユニット２０Ａ，２０Ｂと制御装置４１を覆うカバー４２が設けられている。この実施形態では、カバー４２は台座部１４の取付部１６及びこれに取付けたバッテリパック４０が外側となるように第１及び第２送風ユニット２０Ａ，２０Ｂと制御装置４１を覆っている。カバー４２は第１及び第２送風ユニット２０Ａ，２０Ｂと制御装置４１とをメンテナンスできるように背負フレーム１１に着脱可能となっている。これら以外については上述した第１実施形態の構成と同様である。
【００３２】
上記のように構成した背負式ブロワ１０においても、電動モータ２３に給電するバッテリパック４０を背負フレーム１１に設けた取付部１６に着脱可能に取り付けるようにしたので、バッテリパック４０を容易に取り外すことができ、バッテリパック４０を充電するときの作業性を向上させることができた。この実施形態でも、取付部１６を背負フレーム１１のカバー４２の外側に配置したので、カバー４２を取り外す手間をかけることなくバッテリパック４０を着脱することができた。これ以外についても、上述した第１実施形態と同様であるので、詳細な説明を省略する。
【００３３】
（第３実施形態）
次に、第３実施形態の背負式ブロワ１０を図７及び図８を用いて説明する。図７及び図８では、主として送風ユニット２０Ａ，２０Ｂとバッテリパック４０の配置の説明をするために、左右一対のショルダーストラップ１３，制御装置４１の記載を省略している。第３実施形態の背負式ブロワ１０は、第２実施形態の背負式ブロワ１０と同様に、送風ユニット２０を第１及び第２送風ユニット２０Ａ，２０Ｂの２つの送風ユニットによって構成するようにしたものである。この第３実施形態では、第１及び第２送風ユニット２０Ａ，２０Ｂは背板部１２の後側にて上下に並べて配置されている。また、背負フレーム１１の背板部１２の左側部に後述する４つのバッテリパック４０を上下に並べて配置したことで、背負式ブロワ１０の左右方向の重量バランスがアンバランスとなるのを防ぐために、第１及び第２送風ユニット２０Ａ，２０Ｂを背板部１２の左右方向の中心から右側にずらした位置で上下に並べて配置している。
【００３４】
第１及び第２送風ユニット２０Ａ，２０Ｂは第１及び第２ボリュートケース２１Ａ，２１Ｂの前面に第１及び第２電動モータ２３Ａ，２３Ｂを一体的に組み付けるようにし、第１及び第２ボリュートケース２１Ａ，２１Ｂ内にて第１及び第２電動モータ２３Ａ，２３Ｂの各回転軸２３Ａａ，２３Ｂａに第１及び第２遠心ファン２２Ａ，２２Ｂを回転可能に取り付けるようにして１つのユニットとしたものである。第１及び第２ボリュートケース２１Ａ，２１Ｂは背板部１２の平面方向と直交（交差）する方向を中心とした渦巻き形をして、背板部１２に沿って鉛直方向に起立して配置されている。第１及び第２ボリュートケース２１Ａ，２１Ｂは後側に吸気口２１Ａａ，２１Ｂａが形成されており、右側部に渦巻き形の外側先端部となる筒形をした送風筒部２１Ａｂ，２１Ｂｂが外側に延出して形成されており、各送風筒部２１Ａｂ，２１Ｂｂの先端に送風口２１Ａｃ，２１Ｂｃが形成されている。この第３実施形態では、上側に配置された第１ボリュートケース２１Ａの送風筒部２１Ａｂと送風管３０との間には第１接続管２４Ａが連通接続され、下側に配置された第２ボリュートケース２１Ｂの送風筒部２１Ｂｂと送風管３０との間には第２接続管２４Ｂが連通接続されている。
【００３５】
この実施形態の背負フレーム１１は第１及び第２実施形態の台座部１４を備えてなく、背板部１２の左側部にはバッテリパック４０の４つの取付部１６を上下に並んで配設している。各取付部１６にはバッテリパック４０が前後方向にスライド移動可能に着脱可能に取り付けられている。背板部１２の左側部に取り付けた４つのバッテリパック４０は背負フレーム１１の右側部にて第１及び第２ボリュートケース２１Ａ，２１Ｂの各送風口２１Ａｃ，２１Ｂｃに連通接続した送風管３０との左右方向における重心位置をできるだけ中央部に近づける目的も有している。なお、この実施形態では、バッテリパック４０を背板部１２の左側部に上下に並べて配置したが、本発明はこれに限られるものでなく、背負式ブロワ１０の重心位置を下げるために、バッテリパック４０を背板部１２の下部（背板部１２の下端部から下方に延出させた台座部１４の上面でもよい）に左右に並べて配置してもよい。これ以外の構造については上述した第１または第２実施形態と同様である。
【００３６】
この実施形態の背負式ブロワ１０においても、電動モータ２３に給電するバッテリパック４０を背負フレーム１１の背板部１２の左側部に設けた取付部１６に着脱可能に取り付けるようにしたので、バッテリパック４０を容易に取り外すことができ、バッテリパック４０を充電するときの作業性を向上させることができた。この実施形態でも、取付部１６を背負フレーム１１のカバー４２の外側に配置したので、カバー４２を取り外す手間をかけることなくバッテリパック４０を着脱することができた。特に、この実施形態では、背板部１２の左側部に設けた取付部１６にバッテリパック４０を着脱可能に取り付けるようにしたので、作業者が背負フレーム１１を地面等の載置面に下ろすことなく、バッテリパック４０を取付部１６に着脱することができるようになり、バッテリパック４０の着脱操作の操作性をさらに高くすることができた。
【００３７】
また、この実施形態の背負式ブロワ１０においては、背負フレーム１１に搭載した第１及び第２ボリュートケース２１Ａ，２１Ｂの右側部（左右方向の一側）に形成した送風筒部２１Ａｂ，２１Ｂｂに送風管３０を連通接続しており、第１及び第２ボリュートケース２１Ａ，２１Ｂは右側に重心が配置されている。背負フレーム１１の左側部（左右方向の他側）には上下に並ぶ４つの取付部１６を備え、これら取付部１６に４つのバッテリパック４０を着脱可能に取り付けている。このように、背負式ブロワ１０では、右側部に第１及び第２ボリュートケース２１Ａ，２１Ｂの送風筒部２１Ａｂ，２１Ｂｂと送風管３０とを配置し、左側部に４つのバッテリパック４０を配置したので、背負式ブロワ１０を背負って使用するときの左右の重量バランスを良好することができた。これ以外についても、上述した第１または第２実施形態と同様であるので、詳細な説明を省略する。
【００３８】
（第４実施形態）
次に、第３実施形態の背負式ブロワ１０を図９及び図１０を用いて説明する。図９及び図１０では、主として送風ユニット２０Ａ，２０Ｂとバッテリパック４０の配置の説明をするために、左右一対のショルダーストラップ１３，制御装置４１の記載を省略している。第４実施形態の背負式ブロワ１０は、第３実施形態の背負式ブロワ１０と同様に、送風ユニット２０を第１及び第２送風ユニット２０Ａ，２０Ｂの２つの送風ユニットによって構成するようにし、第１及び第２送風ユニット２０Ａ，２０Ｂを背板部１２の後側にて上下に並べて配置している。第４実施形態の背負式ブロワ１０では、下側の第２送風ユニット２０Ｂを第１送風ユニット２０Ａよりも後側にずらすことで、上側の第１ボリュートケース２１Ａの下部と下側の第２ボリュートケース２１Ｂの上部との接触による干渉を防ぎ、上側の第１送風ユニット２０Ａを第３実施形態の背負式ブロワ１０よりも下側位置に配置している。第４実施形態では、第１及び第２ボリュートケース２１Ａ，２１Ｂが第３実施形態よりも後側に配置されているので、背板部１２の左側部に配置したバッテリパック４０を中央部よりに近づけて配置できるようになっている。なお、第４実施形態のバッテリパック４０は左右方向にスライド移動可能に着脱可能に取り付けられている。なお、この実施形態では、バッテリパック４０を背板部１２の左側部に上下に並べて配置したが、本発明はこれに限られるものでなく、背負式ブロワ１０の重心位置を下げるために、バッテリパック４０を背板部１２の下部（背板部１２の下端部から下方に延出させた台座部１４の上面でもよい）に左右に並べて配置してもよい。これ以外の構造については上述した第３実施形態と同様である。
【００３９】
この実施形態の背負式ブロワ１０においても、電動モータ２３に給電するバッテリパック４０を背負フレーム１１に設けた取付部１６に着脱可能に取り付けるようにしたので、バッテリパック４０を容易に取り外すことができ、バッテリパック４０を充電するときの作業性を向上させることができた。この実施形態でも、取付部１６を背負フレーム１１のカバー４２の外側に配置したので、カバー４２を取り外す手間をかけることなくバッテリパック４０を着脱することができた。特に、この実施形態でも、背板部１２の左側部に設けた取付部１６にバッテリパック４０を着脱可能に取り付けるようにしたので、作業者が背負フレーム１１を地面等の載置面に下ろすことなく、バッテリパック４０を取付部１６に着脱することができるようになり、バッテリパック４０の着脱操作の操作性をさらに高くすることができた。
【００４０】
また、この実施形態の背負式ブロワ１０においても、第３実施形態と同様に、背負フレーム１１に搭載した第１及び第２ボリュートケース２１Ａ，２１Ｂの右側部（左右方向の一側）に形成した送風筒部２１Ａｂ，２１Ｂｂに送風管３０を連通接続しており、第１及び第２ボリュートケース２１Ａ，２１Ｂは右側に重心が配置されている。背負フレーム１１の左側部（左右方向の他側）には上下に並ぶ４つの取付部１６を備え、これら取付部１６に４つのバッテリパック４０を着脱可能に取り付けている。このように、背負式ブロワ１０では、右側部に第１及び第２ボリュートケース２１Ａ，２１Ｂの送風筒部２１Ａｂ，２１Ｂｂと送風管３０とを配置し、左側部に４つのバッテリパック４０を配置したので、背負式ブロワ１０を背負って使用するときの左右の重量バランスを良好することができた。これ以外についても、上述した第１〜第３実施形態と同様であるので、詳細な説明を省略する。
【００４１】
（第５実施形態）
次に、第５実施形態の背負式ブロワ１０を図１１を用いて説明する。図１１では、主として送風ユニット２０Ａ，２０Ｂの配置の説明をするために、左右一対のショルダーストラップ１３、制御装置４１及びカバー４２の記載を省略している。第５実施形態の背負式ブロワ１０は、第３実施形態の背負式ブロワ１０と同様に、第１及び第２送風ユニット２０Ａ，２０Ｂを背板部１２の後側にて上下に並べて配置している。また、第５実施形態の背負式ブロワ１０では、第１及び第２電動モータ２３Ａ，２３Ｂの回転軸２３Ａａ，２３Ｂａ及び第１及び第２ボリュートケース２１Ａ，２１Ｂの中心軸の各軸線方向を斜め後方にて４５°に傾斜して配置している。第１及び第２ボリュートケース２１Ａ，２１Ｂは背板部１２の平面方向と４５°にて交差する方向を中心とした渦巻き形をしている。これ以外については、上述した第３及び第４実施形態と同様である。
【００４２】
この実施形態の背負式ブロワ１０においても、電動モータ２３に給電するバッテリパック４０を背負フレーム１１に設けた取付部１６に着脱可能に取り付けるようにしたので、バッテリパック４０を容易に取り外すことができ、バッテリパック４０を充電するときの作業性を向上させることができた。この実施形態でも、取付部１６を背負フレーム１１のカバー４２の外側に配置したので、カバー４２を取り外す手間をかけることなくバッテリパック４０を着脱することができた。特に、この実施形態でも、背板部１２の左側部に設けた取付部１６にバッテリパック４０を着脱可能に取り付けるようにしたので、作業者が背負フレーム１１を地面等の載置面に下ろすことなく、バッテリパック４０を取付部１６に着脱することができるようになり、バッテリパック４０の着脱操作の操作性をさらに高くすることができた。
【００４３】
また、この実施形態の背負式ブロワ１０においても、第３実施形態と同様に、背負フレーム１１に搭載した第１及び第２ボリュートケース２１Ａ，２１Ｂの右側部（左右方向の一側）に形成した送風筒部２１Ａｂ，２１Ｂｂに送風管３０を連通接続しており、第１及び第２ボリュートケース２１Ａ，２１Ｂは右側に重心が配置されている。背負フレーム１１の左側部（左右方向の他側）には上下に並ぶ４つの取付部１６を備え、これら取付部１６に４つのバッテリパック４０を着脱可能に取り付けている。このように、背負式ブロワ１０では、右側部に第１及び第２ボリュートケース２１Ａ，２１Ｂの送風筒部２１Ａｂ，２１Ｂｂと送風管３０とを配置し、左側部に４つのバッテリパック４０を配置したので、背負式ブロワ１０を背負って使用するときの左右の重量バランスを良好することができた。これ以外についても、上述した第１〜第４実施形態と同様であるので、詳細な説明を省略する。
【００４４】
上記の各実施形態においては、電動モータ２３（２３Ａ，２３Ｂ）の各出力軸（回転軸）に第１及び第２遠心ファン２２Ａ，２２Ｂを取り付けたが、本発明はこれに限られるものでなく、電動モータ２３の各出力軸の回転を例えば歯車対やベルトとプーリを用いた動力伝達機構によって回転する回転軸に第１及び第２遠心ファン２２Ａ，２２Ｂを取り付け、電動モータ２３の駆動を歯車伝達機構によって回転軸を回転させ、回転軸の回転によって第１及び第２遠心ファン２２Ａ，２２Ｂを回転させたものであってもよい。
【００４５】
上記の各実施形態においては、電動モータ２３（２３Ａ，２３Ｂ）に給電するバッテリパック４０を背負フレーム１１に４つ搭載するようにしたが、本発明はこれに限られるものでなく、１つまたは２つ以上（複数）のバッテリパックを用いたものであってもよく、このようにしたときも上述したのと同様の作用効果を得ることができる。
【００４６】
なお、上述した各実施形態においては、背負フレーム１１またはグリップ３４等にバッテリパック４０のエネルギー残量を表示する表示ランプ、表示ディスプレイ等の表示部を設けるのが好ましい。
【符号の説明】
【００４７】
１０…背負式送風作業機（背負式ブロワ）、１１…背負フレーム、１２…背板部、１３…ショルダーストラップ、１４…台座部、１６…取付部、２１…ボリュートケース、２１Ａ…ボリュートケース（第１ボリュートケース）、２１Ｂ…ボリュートケース（第２ボリュートケース）、２１，２１Ａｂ，２１Ｂｂ…送風筒部、２２…遠心ファン、２２Ａ…遠心ファン（第１遠心ファン）、２２Ｂ…遠心ファン（第２遠心ファン）、２３…電動モータ、２３Ａ…電動モータ（第１電動モータ）、２３Ｂ…電動モータ（第２電動モータ）、４０…バッテリパック、４２…カバー。
【図１】
0006621594.tif 000002
【図２】
0006621594.tif 000003
【図３】
0006621594.tif 000004
【図４】
0006621594.tif 000005
【図５】
0006621594.tif 000006
【図６】
0006621594.tif 000007
【図７】
0006621594.tif 000008
【図８】
0006621594.tif 000009
【図９】
0006621594.tif 000010
【図１０】
0006621594.tif 000011
【図１１】
0006621594.tif 000012